(57)【特許請求の範囲】
【請求項１】
弁室を挟んで一方の開口から他方の開口への順方向への流通を許容する一方、前記弁室を挟んで他方の開口から一方の開口への逆方向への流通を遮断するための逆止弁であって、
前記弁室内に対し前記一方の開口と他方の開口との間を横切るように配設された撓み性を有するディスク状の弁体と、
前記一方の開口の側において前記弁室に臨む面に対しそれぞれ前記弁体と相対向しかつ前記逆方向に向けて段差を有する各位置に形成された複数段の弁座とを備え、
前記複数段の弁座は、前記弁体の外周側領域に相対向する第１段目の弁座と、前記第１段目の弁座よりも前記逆方向に向けて段差を有する位置で前記弁体の内周側領域に相対向する第２段目の弁座とを備え、
前記逆方向への差圧が大きくなるにつれて前記弁体が撓んで前記複数段の弁座に対し前記逆方向の手前側から順に着座することになるように構成されている、
ことを特徴とする逆止弁。
【請求項２】
請求項１に記載の逆止弁であって、
前記第１段目の弁座と第２段目の弁座との間は斜面を含む接続面により接続され、各弁座は面と面とが交差した角部により構成されるとともに、その角部は湾曲面により形成されている、逆止弁。
【請求項３】
請求項１又は請求項２に記載の逆止弁であって、
前記弁体と各弁座とは面接触により当接するように構成されている
【請求項４】
請求項１〜請求項３のいずれかに記載の逆止弁であって、
弁体を挟んで弁座とは反対側の位置の弁室に配設されて弁体の順方向への自由な変位を規制する弁蓋を備えている、逆止弁。
【発明の詳細な説明】
【技術分野】
【０００１】
本発明は、例えば気泡発生装置から浴槽水中に微細気泡(マイクロバブル)を含んだ噴出流を放出させるために気泡生成用の空気を外部から吸い込んで供給する吸気通路部において浴槽水の逆流を遮断するために設ける等の用途に用いられる逆止弁に関し、特に逆止弁を挟んだ一側（例えば大気圧）と他側（例えば逆流圧）との差圧が小さくても大きくても確実に逆止めし得る技術に係る。
【背景技術】
【０００２】
従来、比較的柔軟な湾曲したディスク部と、このディスク部から中心軸方向に延びるステム部とからなる弁体を用いた逆止弁が知られている（例えば特許文献１参照）。このものでは、ディスク部と同様に湾曲したお椀状の弁座を挟んで一側の孔に対し前記ステム部を挿入した状態でディスク部を弁座に相対向するように配置することで、ディスク部の弁座に対する位置ずれを防止するようにしている。
【先行技術文献】
【特許文献】
【０００３】
【特許文献１】特許２７３５９５１号公報
【発明の概要】
【発明が解決しようとする課題】
【０００４】
ところで、出願人は、浴槽内から浴槽水を取り出した後に再び浴槽内に戻す際の吐出流に基づく吸気負圧を利用して空気を循環水中に取り込み、これにより、気泡が混合された状態にして浴槽内に吐出させるという気泡発生装置において、気泡生成用の空気を外部から吸い込んで供給するための吸気装置を付設し、この吸気装置から気泡発生装置までの接続管に浴槽水の逆流を防止するために逆止弁を設けるようにしている。例えば図１３に示すように、外部から取り込まれた空気をフィルタ部２０１に通過させ、フィルタ部２０１を通過した後の空気をオリフィス２０２に通した上で、接続管２０３を通して浴槽１側に供給する際に、その接続管２０３に逆止弁２０４を介装するようにしている。
【０００５】
しかしながら、通常の逆止弁は、逆止弁を挟んで一側と他側との差圧がある所定の圧力になった際に、弁体が弁座に接触して逆流を遮断するという逆止機能を発揮するようになっているため、差圧が所定の圧力まで到達しないような小さい圧力のときには所定の逆止機能を発揮せず、完全には逆流を遮断し得ない場合も生じ得る。
【０００６】
前記の吸気装置と気泡発生装置との間では、通常は気泡発生装置の側からの吸気負圧が吸気装置に作用して、吸気装置から気泡発生装置の側に空気が順方向に取り込まれるものの、ときとして浴槽の側から浴槽水の逆流圧が気泡発生装置から吸気装置の側に逆方向に作用する場合がある。このような逆流圧は、その発生原因によって大小様々であることが考えられ、逆流圧が小さい場合には前記の如く逆止弁では完全に遮断し得なくなることが考えられる。
【０００７】
本発明は、このような事情に鑑みてなされたものであり、その目的とするところは、逆流方向の差圧の大小の如何に拘わらず確実に逆止することができ、しかも、弁体のへたり発生を抑制して耐久性の向上を図り得る逆止弁を提供することにある。
【課題を解決するための手段】
【０００８】
上記目的を達成するために、本発明では、弁室を挟んで一方の開口から他方の開口への順方向への流通を許容する一方、前記弁室を挟んで他方の開口から一方の開口への逆方向への流通を遮断するための逆止弁を対象にしてつぎの特定事項を備えることとした。すなわち、前記弁室内に対し前記一方の開口と他方の開口との間を横切るように配設された撓み性を有するディスク状の弁体と、前記一方の開口の側において前記弁室に臨む面に対しそれぞれ前記弁体と相対向しかつ前記逆方向に向けて段差を有する各位置に形成された複数段の弁座とを備え、前記複数段の弁座として、前記弁体の外周側領域に相対向する第１段目の弁座と、前記第１段目の弁座よりも前記逆方向に向けて段差を有する位置で前記弁体の内周側領域に相対向する第２段目の弁座とを備え、前記逆方向への差圧が大きくなるにつれて前記弁体が撓んで前記複数段の弁座に対し前記逆方向の手前側から順に着座することになる構成とした（請求項１）。
【０００９】
本発明の場合、逆方向への差圧が小さければ逆方向手前側の弁座に着座し、差圧が大きくなれば前記逆方向に向けて次の弁座に順に着座することになる。このため、差圧が比較的小さい場合であっても、手前側の弁座に着座させて確実に逆止し得る一方、差圧が大きくなっても次の弁座に順に着座するため確実に逆止し得ることになる。その上に、差圧が小さくても大きくても同じ弁座に着座するのではなくて、差圧が大きくなって弁体がより大きく撓むにつれて、逆方向に複数段に設置された次の弁座に順に着座することになるため、弁体のへたり発生を回避して耐久性の向上を図り得るようになる。
【００１０】
加えて、前記複数段の弁座として、前記弁体の外周側領域に相対向する第１段目の弁座と、前記第１段目の弁座よりも前記逆方向に向けて段差を有する位置で前記弁体の内周側領域に相対向する第２段目の弁座とを備えるようにすることにより、差圧が小さいときには、第１段目の弁座に対し弁体の外周側領域が着座するため、差圧が小さくても弁体のより広い面積部分に作用する差圧分によって第１段目の弁座への押し付け力が得られることになって、確実に逆止機能を発揮し得ることになる。一方、差圧が大きくなれば弁体のより狭い面積の内周側領域が第２段目の弁座に着座するため、大きい差圧が作用したとしても弁座への着座を維持するために弁体に作用する押し付け力を相対的に低く抑えることが可能となり、これにより、弁体の塑性変形に起因するへたり発生を抑制して耐久性の向上を図り得ることになる。
【００１１】
本発明の逆止弁において、前記第１段目の弁座と第２段目の弁座との間を、斜面を含む接続面により接続し、各弁座として面と面とが交差した角部により構成するとともに、その角部を湾曲面により形成することができる（請求項２）。このようにすることにより、各弁座を構成する交差角部が湾曲面により形成されているため、尖った弁座に弁体が食い込むことで着座する場合と比べ、弁体を塑性変形し難くすることが可能となる、又は、たとえ塑性変形したとしてもその程度は極めて小さいものに抑えることが可能となる。これにより、弁体のへたり等の塑性変形発生に伴う耐久性の悪化を回避して、弁体の耐久性の向上を図ることが可能となる。
【００１２】
又、本発明の逆止弁において、前記弁体と各弁座とが面接触により当接するように構成することができる（請求項３）。このようにすることにより、弁体が各弁座に着座する際は各弁座に対し面接触状態で密着することになるため、線接触状態で密着する場合と比べ、弁体を塑性変形し難くすることが可能となる、又は、たとえ塑性変形したとしてもその程度は極めて小さいものに抑えることが可能となる。これにより、請求項３の場合と同様に、弁体のへたり等の塑性変形発生に伴う耐久性の悪化を回避して、弁体の耐久性の向上を図ることが可能となる。
【００１３】
さらに、本発明の逆止弁において、弁体を挟んで弁座とは反対側の位置の弁室に配設されて弁体の順方向への自由な変位を規制する弁蓋を備えるようにすることができる（請求項４）。このようにすることにより、弁体の順方向又は逆方向への撓みによって逆止弁本来の機能を果たさせる上で、その弁体を核に所定の位置に保持させ得るようになる。このため、弁体に確実に所要の撓み挙動をさせることが可能となり、本発明の作用が確実に得られることになる。
【発明の効果】
【００１４】
以上、説明したように、本発明の逆止弁によれば、差圧が比較的小さい場合であっても、手前側の弁座に着座させて確実に逆止させることができる一方、差圧が大きくなっても次の弁座に順に着座するため確実に逆止させることができるようになる。その上に、差圧が小さくても大きくても同じ弁座に着座するのではなくて、差圧が大きくなって弁体がより大きく撓むにつれて、逆方向に複数段に設置された次の弁座に順に着座することになるため、弁体のへたり発生を回避して耐久性の向上を図ることができるようになる。
【００１５】
加えて、差圧が小さいときには、第１段目の弁座に対し弁体の外周側領域が着座するため、差圧が小さくても弁体のより広い面積部分に作用する差圧分によって第１段目の弁座への大きな押し付け力を得ることができ、これにより、確実に逆止機能を発揮させることができるようになる。一方、差圧が大きくなれば弁体のより狭い面積の内周側領域が第２段目の弁座に着座するため、大きい差圧が作用したとしても弁座への着座を維持するために弁体に作用する押し付け力を相対的に低く抑えることができ、これにより、弁体の塑性変形に起因するへたり発生を抑制して耐久性の向上を図ることができるようになる。
【００１６】
請求項２によれば、各弁座を構成する交差角部を湾曲面により形成することで、尖った弁座に弁体が食い込むことで着座する場合と比べ、弁体を塑性変形し難くしたり、又は、たとえ塑性変形したとしてもその程度は極めて小さいものに抑えたりすることができるようになる。これにより、弁体のへたり等の塑性変形発生に伴う耐久性の悪化を回避して、より一層の弁体の耐久性の向上を図ることができるようになる。
【００１７】
又、請求項３によれば、弁体と各弁座とを面接触により当接するように構成することで、線接触状態で密着する場合と比べ、弁体を塑性変形し難くしたり、たとえ塑性変形したとしてもその程度は極めて小さいものに抑えたりすることができるようになる。これにより、請求項２の場合と同様に、弁体のへたり等の塑性変形発生に伴う耐久性の悪化を回避して、より一層の弁体の耐久性の向上を図ることができるようになる。
【００１８】
さらに、請求項４によれば、弁体の順方向への自由な変位を規制する弁蓋を備えるようにすることで、弁体の順方向又は逆方向への撓みによって逆止弁本来の機能を果たさせる上で、その弁体を確実に所定の位置に保持させることができるようになる。これにより、弁体に確実に所要の撓み挙動をさせることができ、本発明の効果を確実に得ることができるようになる。
【図面の簡単な説明】
【００１９】
【図１】逆止弁が内蔵された吸気装置を付設した気泡発生装置により浴槽に対し気泡を噴出可能にした風呂システムの例を示す説明図である。
【図２】図１の循環アダプタを用いた追い焚き運転の作動原理を示す説明図である。
【図３】図１の循環アダプタを用いた気泡発生運転の作動原理を示す図２対応図である。
【図４】図１の吸気装置を拡大断面図により示した図１対応図である。
【図５】図４の吸気装置を前面側から見た斜視図である。
【図６】図５の吸気装置を分解した状態で示す分解斜視図である。
【図７】図７（ａ）は図４のＡ−Ａ線における断面説明図であり、図７（ｂ）は図４のＢ−Ｂ線における断面説明図である。
【図８】図６の吸気抵抗部及び本体筒部について分解した状態で示す分解斜視図である。
【図９】図９（ａ）は図４のＣ−Ｃ線における部分拡大断面説明図であり、図９（ｂ）は図４の部分拡大図である。
【図１０】図１０（ａ）は図４の逆止弁について向きを変えた状態で示す拡大図であり、図１０（ｂ）その分解状態の説明図である。
【図１１】図１１（ａ）は順方向の差圧として吸気負圧が作用したときの空気が流れる状態を示す図１０（ａ）対応図であり、図１１（ｂ）は比較的小さい逆方向の差圧が作用したときの逆止状態を示す図１０（ａ）対応図である。
【図１２】図１２（ａ）は比較的大きい逆方向の差圧が作用したときの状態を示す図１０（ａ）対応図であり、図１２（ｂ）は図１２（ａ）の部分拡大断面説明図である。
【図１３】本発明の課題を示すために例示した図４対応図である。
【発明を実施するための形態】
【００２０】
以下、本発明の実施形態を図面に基づいて説明する。
【００２１】
図１に示す風呂システムは、浴槽１と、風呂用の追い焚き循環機能を備えた給湯器２と、戻り路３１及び往き路３２からなり浴槽１及び給湯器２を互いに接続する追い焚き循環配管３と、実施形態に係る気泡発生装置を内蔵・付設した循環アダプタ４とを備えて構成されたものである。給湯器２は、例えば、追い焚き用熱交換器２１と、これを加熱する燃焼バーナ２２とを備えているものである。
【００２２】
浴槽１には、その一側壁面の底部近傍に循環アダプタ４が貫通した状態で設置され、この循環アダプタ４に対し、追い焚き循環配管３の戻り路３１の上流端と、往き路３２の下流端とが接続されている。そして、給湯器２内の循環ポンプ２３が作動されると、浴槽１内の浴槽水(湯又は水)が循環アダプタ４及び戻り路３１を通して給湯器２の熱交換器２１に戻され、次いで、往き路３２及び循環アダプタ４を通して浴槽１内に吐出される、という循環流が生じて循環作動されることになる。この循環作動の際に、燃焼バーナ２２が燃焼作動されると、浴槽１から戻された浴槽水が所定温度まで加熱されて追い焚きされることになり、燃焼バーナ２２が非燃焼状態のままであると、浴槽水による循環流のみが生じることになる。
【００２３】
そして、循環アダプタ４には後述の気泡発生装置５が内蔵され、この気泡発生装置５に対し気泡生成用の空気を外部から取り込んで吸気するための吸気装置６が付設されている。図１の例では、吸気装置６が浴室を区画する壁の外面に設置されている場合を示したが、これに限らず、浴室を区画する壁の内面又は浴槽１のエプロン部分に設置してもよい。
【００２４】
前記の吸気装置６は実施形態に係る逆止弁が内蔵されたものであるが、逆止弁についての詳細な説明に入る前に、まず、前記逆止弁に対し順方向に作用することになる吸気負圧の発生機構について、図２又は図３に示す気泡発生装置５を内蔵した循環アダプタ４の概略構造例に基づいて説明する。循環アダプタ４は、前述の循環ポンプ２３の作動により浴槽１内から浴槽水を吸い込んで戻り路３１に流すための吸い込み流路４４と、往き路３２からの循環水(浴槽水)を浴槽１内にそのまま流す追い焚き吐出流路４５と、同様に往き路３２からの循環水に対し気泡を巻き込んだ状態で浴槽１内に吐出する吐出流路である気泡吐出流路４６と、上記往き路３２からの循環水を追い焚き吐出流路４５の側に流す(追い焚き運転モード)か、気泡吐出流路４６の側に流す(気泡発生運転モード)かのいずれかに切換える切換弁機構４３とを備えている。
【００２５】
吸い込み流路４４は、図２又は図３に矢印Ｒで示すように、フィルタ部材４１０を介して前面カバー体４１の外周領域から吸い込まれた浴槽水を合流させた後に戻り路３１まで導くように延びている。追い焚き吐出流路４５は、図２に矢印Ｇで示すように、往き路３１からの循環水を分流室４５１に導いた後に開閉切換口４５２を通して前面カバー体４１の下側に導き、追い焚き吐出口４５３から浴槽１内に吐出するように延びている。
【００２６】
気泡吐出流路４６は、図３に矢印Ｂで示すように、往き路３１からの循環水を上記分流室４５１を介して分流路４６１に導いた後、噴出孔４６２から旋回室４６３に噴出させて旋回室４６３に旋回流を生じさせて空気を巻き込み、巻き込んだ気泡と共に循環水を気泡吐出口４６４を経て浴槽１内の前方に向けて吐出させるように延びている。上記旋回室４６３はその内周面が円筒状に形成され、上記噴出孔４６２はその旋回室４６３に対し接線方向に分流室からの循環水を噴出させるように開口されている。この噴出孔４６２からの循環水の噴出により旋回室４６３内に気泡吐出口４６４の側に向かう旋回流が生じて遠心力が作用することにより中心部が大気圧よりも低い負圧となり、この中心部の負圧が吸気装置６（図１参照）に対し吸気負圧として作用することにより空気が取り込まれ、接続ホース５１を通して供給された空気が先端ノズル部５２から旋回流に巻き込まれる結果、微小な気泡が混合した状態の循環水が浴槽１内に吐出されることになる。
【００２７】
次に、図４を参照しつつ実施形態に係る逆止弁１１を内蔵した吸気装置６について詳細に説明する。吸気装置６は、外装ハウジング７と、外装ハウジング７内に収容された内部構造体８とを備えている。外装ハウジング７は、図５及び図６にも示すように本体ハウジング７１と、本体ハウジング７１の前面開口を例えば螺嵌により着脱可能に閉止する前面蓋７２とからなる。本体ハウジング７１の後端部から下方に突出する接続部７３が一体に形成され、後端部から前端部（図４の右端部）にかけて段階的に拡径されている。そして、外装ハウジング７の内部には、前面蓋７２と本体ハウジング７１の前端部内面との間に空気を取り入れる導入空間７４と、この導入空間７４から後方に延びて内部構造体８が収容される収容孔７５と、逆止弁１１を挟んで下流側の接続部７３に向けて延びる下流側通路部７６とが区画形成されることになる。前面蓋７２の外周側の領域には空気取り入れ用の多数の小孔７２１，７２１，…（図７（ａ）も参照）が貫通形成され、各小孔７２１を通して導入空間７４（図７（ｂ）も参照）は外部と連通されている。
【００２８】
内部構造体８は、本体筒部８１と、本体筒部８１の前端において外周囲に拡がる板状体部８２と、本体筒部８１の後端に配設される逆止弁１１とを備えて構成されている。逆止弁１１を後端に配設した状態で本体筒部８１が前記の収容孔７５に対し前側から後方に向けて内嵌され、本体筒部８１が内嵌されることにより板状体部８２が前記の導入空間７４内に位置付けられた状態で、内部構造体８は本体ハウジング７１に対し連結されるようになっている。
【００２９】
本体筒部８１の外周面には図８にも示すようにドーナッツ環状の周溝８１１と、シール用のＯリング８１２を外嵌するための周溝８１３とが形成されており、本体筒部８１の前側領域にはフィルタ部９が外嵌され、このフィルタ部９により前記の周溝８１１の外周面側が覆われるようになっている。周溝８１１の底には後述の屈曲通路１０の一端１０１に連通する吸気入口８１０（図９（ａ）参照）が開口している。フィルタ部９は後述の屈曲通路１０４の開口断面よりも十分に小さいフィルタ開口（メッシュの目のサイズ）となるようにメッシュ素材により筒状に形成されたものである。又、板状体部８２は、本体筒部８１の前面側に一体的に形成された第１の板状体８２１と、この第１の板状体８２１と同様形状を有する別体の第２の板状体８２２とが間にパッキン８２３を挟み込んだ状態で相対向面同士がビス８４，８４，…により接合されて一体化されたものである。
【００３０】
第１の板状体８２１の接合面には図８に示すように上流端となる一端１０１から下流端となる他端１０２までジグザク状に屈曲しつつ延びる凹溝１０３が形成されており、この凹溝１０３に対しパッキン８２３及び第２の板状体８２２が接合されることで閉鎖され、これにより、吸気抵抗部１０を構成する屈曲通路１０４が形成されている（図７（ｂ）、図９（ｂ）参照）。この屈曲通路１０の一端１０１は周溝８１１に開口する吸気入口８１０（図９（ａ）参照）に連通され、他端１０２は本体筒部８１の中心軸に沿って後側に延びる吸気通路部８１４（図９（ａ），（ｂ）参照）に連通されている。
【００３１】
逆止弁１１は、図１０（ａ），（ｂ）に示すように、本体筒部８１の後端部に区画形成された弁室１２と、この弁室１２の一側面に形成された複数（図例では２つ）の弁座１３，１４と、例えばゴム板により形成された撓み性を有する弁体１５と、弁蓋１６とを備えて構成されている。弁室１２は、内部構造体８１が収容孔７５に収容された状態で、一側開口である吸気通路部８１４の側の開口８１５と、他側開口である下流側通路部７６の開口７６１との間に区画形成されるものである。なお、同図において、矢印Ｊの向きが順方向、矢印Ｋの向きが逆方向である。
【００３２】
前記の弁体１５は弁室１２の中心軸Ｘを中心とする内径と同等か僅かに小径の円形のディスク状に形成され、中心軸Ｘを横切るように弁室１２内に配設されている。そして、前記の弁座１３，１４は弁室１２の開口８１５の側の側面１２１に形成され、この側面１２１に対し第１段目の弁座１３は弁体１５の外径よりも小径でかつ弁体１５の外周側領域に対応する位置に延びる円周軌跡に沿って形成され、第２段目の弁座１４は第１段目の弁座１３よりも逆方向に所定の段差分だけ凹んだ位置（変位した位置）において第１段目の弁座１３よりもさらに小径でかつ弁体１５の内周側領域に対応する位置に延びる円周軌跡に沿って形成されている。第１段目の弁座１３は、この弁座１３を挟んで外周側の平面１２２（図１０（ｂ）参照）と内周側の斜面１２３とが交差して接続することになる角部によって構成され、又、第２段目の弁座１４は、この弁座１４を挟んで外周側の平面１２４と内周側の吸気通路部８１４の内周面１２５とが交差して接続することになる角部（開口８１５の縁）によって構成されている。いずれの角部も、所定のアール形状（例えば０．５ｍｍアール）を有する湾曲面により形成されている。前記の斜面１２３と平面１２４とによって第１段目の弁座１３と第２段目の弁座１４とを接続する接続面が構成されている。
【００３３】
弁蓋１６は、中心軸Ｘに沿って中央部から突出した凸部１６１と、この凸部１６１の回りに複数（図例では４つ）の貫通孔１６２，１６２と、外周面から突出する係合縁１６３とが形成されたものである。前記の凸部１６１は、弁体１５の中央部が順方向に位置ずれした場合に当接して弁体１５が大きく位置ずれしないように規制するようになっている。そして、弁室１２に対し弁体１５を配設した後に弁蓋１６を挿入し、前記の係合縁１６３を係合凹溝８１６（図１０（ｂ）参照）に嵌め込むことにより、弁室１２に対する弁蓋１６の固定が行われるようになっている。
【００３４】
以上の構成の逆止弁１１の場合、気泡発生装置５からの吸気負圧が接続管５１（図１参照）、接続部７３（図４）及び下流側通路７６を通して弁体１５に作用すると、図１１（ａ）に示すように、弁体１５の外周側部分が吸引されて撓むことで弁座１３から離れて吸気通路部８１４と下流側通路７６とが連通することになる。これにより、逆止弁１１を通して空気が順方向Ｊに流れ、吸気装置６から気泡発生装置５に対し気泡生成用の空気が供給されることになる。一方、気泡発生装置５から湯水の逆流圧が発生し、外気圧との差圧が前記の接続管５１、接続部７３及び下流側通路７６を通して弁体１５に対し逆方向Ｋに作用すると、その差圧の大小に応じて弁体１５は次のように挙動することになる。
【００３５】
すなわち、図１１（ｂ）に逆方向Ｋに対する差圧が比較的小さい場合の例を示すように、弁体１５は吸気通路部８１４の側に僅かに撓み、その外周側領域が第１段目の弁座１３に着座して密着することになる。この場合、第１段目の弁座１３が形成されている円周軌跡の直径Ｄ１の円形領域に相当する大領域の弁体１５に差圧が作用して、前記の第１段目の弁座１３に対する密着が保持されることになる。つまり、差圧の圧力自体は比較的小さくても、弁体１５に対しその差圧が作用する面積は前記の直径Ｄ１の大きい円形領域となるため、その大きい円形領域に対応する面積に差圧を乗じた大きい圧力で弁体１５を第１段目の弁座１３に対し押し付けて密着させることができるようになる。これにより、差圧が比較的小さい場合であっても、下流側通路７６と吸気通路部８１４とを確実に遮断して逆流を阻止することができるようになる。
【００３６】
しかも、第１段目の弁座１３に着座する部位は弁体１５の外周側領域の平面部分であり、弁体１５の外周縁のエッジ部分ではないため、エッジ部分が例えば斜面に着座して密着するような場合と比べ、弁体１５のへたり等の発生の度合も少なくすることができる。その上に、第１段目の弁座１３は平面１２２（図１０（ｂ）参照）と斜面１２３との交差角部であって所定アール形状の湾曲面により構成されているため、かかる湾曲面に対し弁体１５の外周側領域の平面部分が面接触状態で密着することになる。このため、尖った弁座に弁体が食い込む場合と比べ、弁体１５は塑性変形し難い、又は、たとえ塑性変形したとしてもその程度は極めて小さいものに抑えることができ、弁体１５のへたり等の塑性変形発生に伴う耐久性の悪化を回避して耐久性の向上を図ることができるようになる。
【００３７】
一方、逆方向Ｋに対する差圧が比較的大きい場合には、その例を図１２（ａ）に示すように、弁体１５はその中央部が吸気通路部８１４の側に大きく撓み、弁体１５の内周側領域が第２段目の弁座１４に着座して密着することになる。この場合、第２段目の弁座１４が形成されている円周軌跡の直径Ｄ２の円形領域に相当する小領域の弁体１５に差圧が作用して、前記の第２段目の弁座１４に対する密着が保持されることになる。これにより、吸気通路８１４が閉止されるため、下流側通路７６と吸気通路部８１４とを確実に遮断して逆流を阻止することができるようになる。そして、この場合、差圧の圧力が比較的大きいものであっても、第２段目の弁座１４に対する押し付け力は前記の直径Ｄ２の小さい円形領域に対応する面積に差圧を乗じた圧力となるため、弁体１５自体にへたり等の悪影響を及ぼすような力を作用させることを回避することができる。
【００３８】
しかも、差圧が比較的小さい場合と同様に、第２段目の弁座１４に着座する部位は弁体１５の内周側領域の平面部分であり、弁体１５のへたり等の発生の度合も少なくすることができる。その上に、第２段目の弁座１４は平面１２４（図１０（ｂ）参照）と内周面１２５との交差角部であって所定アール形状の湾曲面により構成されているため、かかる湾曲面に対し弁体１５の内周側領域の平面部分が面接触状態で密着することになる。このため、尖った弁座に弁体が食い込む場合と比べ、弁体１５は塑性変形し難い、又は、たとえ塑性変形したとしてもその程度は極めて小さいものに抑えることができ、弁体１５のへたり等の塑性変形発生に伴う耐久性の悪化を回避して耐久性の向上を図ることができるようになる。さらに、第１２(ｂ)に示すように、差圧が、Ｐ１からＰ２、Ｐ２からＰ３というように、より大きく変化したとしても、その差圧の増大に伴い弁体１５は次第に第２段目の弁座１４に続く平面１２４の側に撓んで密着していくことになり、面接触領域がより拡がることになる。このため、逆方向Ｋへの差圧が増大したとしても、弁体１５の塑性変形に起因するへたり発生の危険性を回避することができるようになる。なお、第２段目の弁座１４を前記の如く平面１２４と内周面１２５との交差角部により構成するのではなくて、斜面１２３(図１０(ｂ)参照)を延長して、この斜面と内周面１２５との交差角度により構成することで、前記の面接触領域の拡大をより容易にすることができる。
【００３９】
そして、以上の吸気装置６の場合、気泡発生装置５の側から吸気負圧が作用すると、前記の如く弁体１５が撓んで吸気通路部８１４が連通され、各小孔７２１から吸気されて取り入れられた空気が導入空間７４、周溝８１１及び吸気入口８１０を通して吸気抵抗部１０の一端１０１に流入する。そして、下流側からの吸気負圧の作用に対し、上流側からの空気が吸気抵抗部１０のジグザク状の屈曲通路１０４を下流側である他端１０２に向けて屈曲を繰り返しながら通過することで前記吸気負圧に対抗する抵抗（吸気抵抗）が付与され、つまり吸気流量が絞られることになる。この吸気流量が絞られた後の空気が他端１０２から吸気通路部８１４に流出し、開状態の逆止弁８３、接続部７３及び接続管５１を通して気泡発生装置５に供給されることになる。
【００４０】
＜他の実施形態＞
なお、本発明は上記実施形態に限定されるものではなく、その他種々の実施形態を包含するものである。すなわち、上記各実施形態では、気泡発生装置５が循環アダプタ４内に配設された例を示したが、これに限らず、気泡発生装置が循環アダプタとは別に単独で浴槽１の壁面に設置されていてもよい。又、その場合の気泡発生装置や循環アダプタ４は浴槽の側壁のみならず、底壁に設置して気泡を含む噴出流が浴槽水に対し上向きに放出されるようにしてもよい。
【００４１】
上記実施形態では、弁蓋１６を弁室１２内に配設しているが、弁蓋１６は必ずしも必須ではなく、これを省略することもできる。この場合には弁蓋１６を省略した分だけ、弁室１２を小さくすればよい。
【符号の説明】
【００４２】
１１            逆止弁
１２            弁室
１３            第１段目の弁座
１４            第２段目の弁座
１５            弁体
１６            弁蓋
１２２          一側面(弁室に臨む面)
１２３          斜面(接続面)
１２４          平面(接続面)
８１５          吸気通路部の開口(一方の開口)
７６１          下流側通路の開口(他方の開口)
Ｊ              矢印(順方向を示す)
Ｋ              矢印(逆方向を示す)
【図１】
0005712528.tif 000002
【図２】
0005712528.tif 000003
【図３】
0005712528.tif 000004
【図４】
0005712528.tif 000005
【図５】
0005712528.tif 000006
【図６】
0005712528.tif 000007
【図７】
0005712528.tif 000008
【図８】
0005712528.tif 000009
【図９】
0005712528.tif 000010
【図１０】
0005712528.tif 000011
【図１１】
0005712528.tif 000012
【図１２】
0005712528.tif 000013
【図１３】
0005712528.tif 000014